(57)【特許請求の範囲】
【請求項１】
少なくとも１つの加熱可能な導電性コーティング（８）を有する透明窓板（１）であって、
前記導電性コーティング（８）は、給電電圧の印加によって少なくとも２つの集電極間に形成される加熱場（１２）を介して加熱電流が流れるように、電圧源の２つの極との電気的接続を行うための少なくとも２つの集電極（１１，１１’）に接続されており、
前記加熱場（１２）は、加熱可能な前記導電性コーティング（８）無しの少なくとも１つの通信窓（１４）を有しており、
加熱可能な前記導電性コーティング（８）は、周囲のコーティング縁部（１０）と、該導電性コーティング（８）無しで、周囲の窓板縁部（５）まで延在する、周囲の縁部ストリップ（９）とによって画定されている、
透明窓板（１）において、
前記透明窓板（１）は、前記加熱場（１２）の外に、該加熱場から一方の集電極（１１又は１１’）によって空間的に分離された状態で、前記窓板縁部（５）の第１の辺（６又は６’）に沿って、少なくとも１つの加熱可能な導電性コーティング（８’又は８’’’）を有し、
ここで、前記窓板縁部（５）の２つの第２の辺（７，７’）の領域に、それぞれ、少なくとも２つの付加電極（１８，１８’）が配置されており、
前記付加電極は、それぞれ少なくとも１つの給電線（１５，１５’）を介して、一方の集電極（１１又は１１’）に接続されており、
前記付加電極は、対応する各コーティング縁部（１０）に沿って、及び、前記窓板縁部（５）の２つの前記第２の辺（７，７’）に沿って、少なくとも一部のセクションが、
・対応する前記縁部ストリップ（９）内、
・それぞれ少なくとも１つの対応するコーティング無し線（１６又は１６’）により前記加熱場（１２）から電気的に分離された状態で、周囲の前記コーティング縁部（１０）の対応する部材上、及び／又は、
・前記加熱場（１２）の外で、それぞれ少なくとも１つの対応するコーティング無し線（１６又は１６’）により前記加熱場（１２）から電気的に分離された状態で、それぞれ対応する前記導電性コーティング（８’’）内及び／又はその上
を延在し、
前記導電性コーティング（８’又は８’’’）において、
・それぞれ２つの前記付加電極（１８及び１８’）に電気的に対応し、かつ、反対の極性の前記集電極（１１又は１１’）に電気的に結合される、少なくとも１つの対向電極（１９）と、
・前記透明窓板（１）の垂直中心線及び対称軸線（Ｍ）に関して相互に鏡面対称に向かい合う、それぞれ少なくとも４つのコーティング無し線、及び、少なくとも１つの接続導体（１９’）の、少なくとも２つの系（１６’’）と
を含み、
該系は、給電電圧の印加時にそれぞれ少なくとも２つの前記付加電極（１８，１８’）から流れる加熱電流が、それぞれ少なくとも２つの電流路（ａ１及びａ２＋ａ３）を介して、及び、それぞれ該電流路に対応する少なくとも２つの前記対向電極（１９）及び少なくとも１つの前記接続導体（１９’）を介して、それぞれ反対の極性の少なくとも１つの集電極（１１又は１１’）へ配向されるように配置されており、
・系（１６’’）内の電流路（ａ１及びａ２＋ａ３）の長さについて、式Ｉ、すなわち、
ＶＨ１＝長さａ１：（長さａ２＋ａ３）＝０．０５〜２．５                    （Ｉ）
が成り立ち、ここで、
（ＶＨ１）は、数学的比を表し、
（ａ１）は、それぞれ上方の付加電極（１８，１８’）から、２分割された前記対向電極（１９）の垂直脚部の、それぞれ前記上方の付加電極に対応する最も近い上方部分領域までの電流路を表し、
（ａ２）は、それぞれ下方の付加電極（１８，１８’）から、前記接続導体（１９’）の、それぞれ前記下方の付加電極に対応する上方部分領域までの電流路を表し、
（ａ３）は、前記接続導体（１９’）のそれぞれ下方部分領域から、２分割された各対向電極（１９）の、それぞれ前記下方部分領域に対応する第２の垂直脚部の部分領域までの電流路を表す、
ことを特徴とする透明窓板（１）。
【請求項２】
前記付加電極（１８，１８’）、該付加電極に対応する対向電極（１９）、前記コーティング無し線の系（１６’’）及び前記電流路（ａ１及びａ２＋ａ３）は、前記透明窓板（１）の中心線及び対称軸線（Ｍ）に関して鏡面対称に配置されている、
請求項１に記載の透明窓板（１）。
【請求項３】
ＶＨ１＝０．１〜２．０である、
請求項１又は２に記載の透明窓板（１）。
【請求項４】
ＶＨ１＝０．５〜１．５である、
請求項１から３までのいずれか１項に記載の透明窓板（１）。
【請求項５】
少なくとも１つの前記コーティング無し線（１６，１６’，１６’’）は、少なくとも一部のセクションで、直線状、波状、メアンダ状、鋸歯状及び／又はジグザグ状に延在している、
請求項１から４までのいずれか１項に記載の透明窓板（１）。
【請求項６】
少なくとも１つの前記コーティング無し線（１６，１６’，１６’’）は、少なくとも一部のセクションで、一貫して、及び／又は、複数の個別断部を有する破線として延在している、
請求項１から５までのいずれか１項に記載の透明窓板（１）。
【請求項７】
少なくとも１つの前記コーティング無し線（１６，１６’，１６’’）は、前記加熱場（１２）の前記導電性コーティング（８）及び／又は前記導電性コーティング（８’又は８’’’）のレーザーアブレーションによって形成されている、
請求項１から６までのいずれか１項に記載の透明窓板（１）。
【請求項８】
前記透明窓板（１）が組み付けられた状態では、前記導電性コーティング（８’）は前記窓板縁部（５）の下方の第１の辺（６’）に沿って配置されており、前記導電性コーティング（８’’’）は前記窓板縁部（５）の上方の第１の辺（６）に沿って配置されている、
請求項１から７までのいずれか１項に記載の透明窓板（１）。
【請求項９】
前記導電性コーティング（８’又は８’’’）は、下方及び／又は上方のワイパ停止ゾーンの領域に配置されている、
請求項８に記載の透明窓板（１）。
【請求項１０】
前記コーティング無し線（１６，１６’，１６’’）は、１０μｍ〜１ｍｍの幅を有する、
請求項１から９までのいずれか１項に記載の透明窓板（１）。
【請求項１１】
水平な前記電流路（ａ１及びａ２＋ａ３）に対して垂直に延在する区間（ｈ１及びｈ２＋ｈ３）について、又は、水平な前記電流路（ａ１及びａ２＋ａ３）を画定する、相互に平行に配置された水平な前記コーティング無し線１６’’の距離（ｈ１及びｈ２＋ｈ３）について、式ＩＩ、すなわち、
ＶＨ２＝ｈ１：（ｈ２＋ｈ３）＝０．５〜２．０                            （ＩＩ）
が成り立ち、ここで、
（ＶＨ２）は該当する数学的比を表す、
請求項１から１０までのいずれか１項に記載の透明窓板（１）。
【請求項１２】
請求項１から１１までのいずれか１項に記載の透明窓板（１）を製造する方法であって、
（Ａ）導電性コーティング（８）を形成するステップと、
（Ｂ）加熱場（１２）の前記導電性コーティング（８）に、コーティング無しの少なくとも１つの通信窓（１４）を形成するステップと、
（Ｃ）（ｃ１）電圧源の２つの極に接続されかつ前記導電性コーティング（８）に電気的に接続される少なくとも２つの集電極（１１，１１’）を形成し、給電電圧の印加によって、２つの前記集電極（１１，１１’）間に存在する前記加熱場（１２）を介して加熱電流を流れさせ、及び／又は、
（ｃ２）電圧源の２つの極に接続されかつ前記導電性コーティング（８）に電気的に接続される少なくとも２つの集電極（１１，１１’）を形成し、その際に、２つの前記集電極（１１，１１’’）の少なくとも一方が空間的に相互に分離された少なくとも２つの部分領域に分割されるように形成する
ステップと、
（Ｄ）（ｄ１）前記透明窓板（１）の中心線及び対称軸線（Ｍ）に関して相互に鏡面対称に向かい合う、少なくとも２つの付加電極（１８，１８’）を形成し、
（ｄ２）前記透明窓板（１）の垂直中心線及び対称軸線（Ｍ）に関して相互に鏡面対称に向かい合い、かつ、前記付加電極（１８，１８’）に電気的に対応し、かつ、給電電圧の印加時に反対の極性の前記集電極（１１又は１１’）に電気的に結合される、少なくとも２つの対向電極（１９）を形成し、
（ｄ３）前記透明窓板（１）の垂直中心線及び対称軸線（Ｍ）に関して相互に鏡面対称に配置され、かつ、それぞれ少なくとも２つの前記付加電極（１８，１８’）とそれぞれ少なくとも１つの前記集電極（１１，１１’）又はそれぞれ少なくとも１つのその部分領域とを接続し、かつ、対応する各コーティング縁部（１０）に沿って及び窓板縁部（５）の２つの第２の辺（７，７’）に沿って、少なくとも一部のセクションで、
・対応する各縁部ストリップ（９）内、
・それぞれ少なくとも１つの対応するコーティング無し線（１６，１６’）により加熱場（１２）から電気的に分離された状態で、周囲のコーティング縁部（１０）の対応する部材上、及び／又は、
・前記加熱場（１２）の外で、それぞれ少なくとも１つの対応するコーティング無し線（１６，１６’）により電気的に分離された状態で、それぞれ対応する前記導電性コーティング（８’’）内
を延在する、少なくとも２つの給電線（１５，１５’）を形成する、
ステップと、
（Ｅ）（ｅ１）前記給電線（１５，１５’）に沿って前記加熱場１２の側方を延在する少なくとも２つのコーティング無し線（１６，１６’）を形成し、
（ｅ２）前記透明窓板（１）の垂直中心線及び対称軸線（Ｍ）に関して相互に鏡面対称に向かい合う、それぞれ少なくとも４つのコーティング無し線、及び、１つの接続導体（１９’）の少なくとも２つの系（１６’’）を形成するステップであって、
該系を、給電電圧の印加時に少なくとも２つの前記付加電極（１８，１８’）から流れる加熱電流が、２つの電流路（ａ１及びａ２＋ａ３）を介して、及び、それぞれ該電流路に対応する少なくとも２つの前記対向電極（１９）及び少なくとも１つの接続導体（１９’）を介して、それぞれ反対の極性の少なくとも１つの前記集電極（１１又は１１’）へ配向されるように、配置し、
前記電流路（ａ１及びａ２＋ａ３）の長さについて、式Ｉ、すなわち、
ＶＨ１＝長さａ１：（長さａ２＋ａ３）＝０．０５〜２．５                    （Ｉ）
が成り立ち、ここで、
（ＶＨ１）は、数学的比を表し、
（ａ１）は、それぞれ上方の前記付加電極（１８，１８’）から、２分割された前記対向電極（１９）の第１の垂直脚部の、それぞれ前記上方の付加電極に最も近くかつこれらに対応する上方部分領域までの電流路を表し、
（ａ２）は、それぞれ下方の前記付加電極（１８，１８’）から、前記接続導体（１９’）の、それぞれ前記下方の付加電極に対応する上方部分領域までの電流路を表し、
（ａ３）は、前記接続導体（１９’）のそれぞれの下方部分領域から、２分割された各対向電極（１９）の、それぞれ前記下方部分領域に対応する第２の垂直な部分領域までの電流路を表す、
ステップと、
を含み、ここで、
（Ｆ）前記方法ステップ（Ｂ）及び前記方法ステップ（Ｅ）を連続して又は同時に実行し、
（Ｇ）前記方法ステップ（Ｃ）及び前記方法ステップ（Ｄ）を、同時にもしくは連続して、前記方法ステップ（Ｂ）及び前記方法ステップ（Ｅ）の前又は後に実行する、
方法。
【請求項１３】
水平な前記電流路（ａ１及びａ２＋ａ３）に対して垂直に延在する区間（ｈ１及びｈ２＋ｈ３）について、又は、水平な前記電流路（ａ１及びａ２＋ａ３）を画定する、相互に平行に配置された水平な前記コーティング無し線（１６’’）の距離（ｈ１及びｈ２＋ｈ３）について、式ＩＩ、すなわち、
ＶＨ２＝ｈ１：（ｈ２＋ｈ３）＝０．５〜２．０                            （ＩＩ）
が成り立ち、ここで
（ＶＨ２）は該当する数学的比を表す、
請求項１２に記載の方法。
【請求項１４】
少なくとも２つの前記コーティング無し線（１６，１６’）及び少なくとも２つの前記系（１６’’）を、前記加熱場（１２）の内外での前記導電性コーティング（８）のレーザーアブレーションによって形成し、
前記方法ステップ（Ｃ）及び前記方法ステップ（Ｄ）を、スクリーン印刷を用いて実行する、
請求項１３に記載の方法。
【請求項１５】
請求項１から１１までのいずれか１項に記載の透明窓板（１）、及び、請求項１２から１４までのいずれか１項に記載の方法によって製造される透明窓板（１）の、機能性独立品及び／又は装飾性独立品としての、及び、家具、機器、建物及び移動手段における組付部品としての、使用。
【発明の詳細な説明】
【技術分野】
【０００１】
本発明は、窓板技術の分野に関連しており、電気加熱層を備えた透明窓板、透明窓板の製造方法及び透明窓板の使用に関する。
【背景技術】
【０００２】
電気加熱層を備えた透明窓板は、それ自体周知であり、既に特許文献において度々記載されている。これについては単なる例としてではあるが、独国特許出願公開第１０２００８０１８１４７号明細書（ＤＥ１０２００８０１８１４７Ａ１）及び同第１０２００８０２０９８６号明細書（ＤＥ１０２００８０２０９８６Ａ１）を参照されたい。自動車ではこうした窓板はしばしば前部窓板として使用されることが多い。というのも、中央の視界は法的規定によりいかなる視界制限も有してはならないからである。加熱層によって生じる熱により、短時間の間に、凝縮した水分、氷及び雪を除去することができる。
【０００３】
加熱電流は、通常、ストリップ状又はテープ状の少なくとも一対の電極を通して加熱層に導入される。これらの電極は、集導体又は集電極として、加熱電流をできるだけ均等に加熱層に導入し、幅の広い波面へ分配する。加熱層のシート抵抗は、現在の産業上の大量生産に使用されている材料においては比較的高く、面積単位当たり数オームのオーダーとなることがある。しかし、実際の適用に充分な加熱エネルギを達成するには、例えば自動車で標準的に１２Ｖから２４Ｖまでの搭載電源電圧しか利用できないにもかかわらず、給電電圧を相応に高くしなければならない。加熱層のシート抵抗は加熱電流の電流路の長さとともに増大するので、相互に反対の極性を有する集導体は相互にできるだけ小さい距離を有さなければならない。通常高さより幅の大きい車両窓板では、このために集導体が２つの長辺側の窓板縁部に沿って配置されているので、加熱電流は窓板の高さ分の短い経路を通って流れることができる。ただし、こうした構成では、窓板を払拭するために設けられているウィンドウワイパの静止位置もしくは停止位置の領域が通常は加熱場の外に存在するため、そこでは充分な加熱エネルギを利用できず、ウィンドウワイパを凍結させてしまうおそれがある。
【０００４】
こうした重大な問題を解決する試みは幾つか存在する。
【０００５】
欧州特許出願公開第０５２４５２７号明細書（ＥＰ０５２４５２７Ａ２）には、ワイパ格納部の領域に加熱素子として２つの平面状の加熱ストリップを設けた、電気的な加熱層を有する前部窓板が示されている。加熱ストリップはそれぞれ、下方の窓板縁部に隣接して配置された下方の集導体を介して電圧源の一方の極に電気的に接続されており、導線を介して電圧源の他方の極に電気的に接続されている。こうした装置での欠点は、下方の集導体が付加的に２つの加熱ストリップに対する電流によって負荷されるということである。
【０００６】
さらに、独国特許出願公開第１０２００７００８８３３号明細書（ＤＥ１０２００７００８８３３Ａ１）及び国際公開第２００８／１０４７２８号（ＷＯ２００８／１０４７２８Ａ２）に、ワイパ格納部の領域でも付加的に加熱可能な、電気的に加熱可能な前部窓板が示されている。このために、グラウンド端子としての下方の集導体に接続された熱線が設けられている。当該熱線には、視界領域での窓板加熱部から独立に電位が印加される。この装置においても、下方の集導体には付加的に熱線に対する電流が負荷される。
【０００７】
欧州特許第１４５４５０９号明細書（ＥＰ１４５４５０９Ｂ１）及び米国特許第７０２６５７７号明細書（ＵＳ７０２６５７７Ｂ２）では、加熱可能な視界が２つのバスバーによって囲まれている透明窓板が提案されている。この場合、視界は、２つのバスバー、特に補助加熱領域のコーティングの無い部分領域によって分割されている。なお、補助加熱領域には、視界下方のマスキング領域の窓板を加熱するために、反対の極性の別のバスバーが設けられている。
【０００８】
国際公開第２０１１／１４１４８７号（ＷＯ２０１１／１４１４８７Ａ１）では、少なくとも窓板面の一部、特に視界を横断するように延在する、透明な加熱コーティングを有する透明窓板が提案されている。加熱コーティングは、少なくとも１つの加熱コーティング無しのゾーンによって少なくとも１つの第１の加熱コーティングゾーンと第２の加熱コーティングゾーンとに分割され、ここで、電圧源によって形成される給電電圧の印加後、第１の加熱コーティングゾーンが形成した少なくとも１つの第１の加熱場と第２のコーティングゾーンが形成した少なくとも１つの第２の加熱場とを介してそれぞれ電流が流れるように、加熱コーティングゾーンの双方がそれぞれ少なくとも２つの集導体に電気的に接続されている。加熱コーティング無しのゾーンには、給電電圧を印加することにより、窓板を、加熱コーティング無しのゾーンを含む面積領域にわたって加熱できる、オーム抵抗を有する少なくとも１つの加熱素子が配置されている。この場合、少なくとも１つの加熱素子は、この加熱素子への給電電圧の印加により、コーティング無しのゾーンに接しかつ少なくとも１つの集導体を含む少なくとも１つの面積領域において窓板を加熱できるように構成されている。
【０００９】
さらに、国際公開第２０１２／１１０３８１号（ＷＯ２０１２／１１０３８１Ａ１）には、電気加熱層を有する透明窓板が提案されており、この電気加熱層は窓板面の少なくとも一部を介して延在し、接続手段を介して電圧源に電気的に接続可能である。ここで、接続手段は、帯状の第１の集導体と帯状の第２の集導体とを含み、これらの集導体はそれぞれ、給電電圧の印加後に加熱層によって形成される加熱場を介して加熱電流が流れるよう、帯状体の長さ全体にわたって直接に加熱層に導電接続されている。この場合、第１の集導体は少なくとも１つの第１のリボン導体に、第２の集導体は少なくとも１つの第２のリボン導体に、直接に導電接続されている。また、窓板は、少なくとも１つの加熱場の無い窓板領域を有しており、この領域には少なくとも１つの電気的なゾーン加熱素子が配置されている。当該ゾーン加熱素子は、給電電圧の印加によって加熱場の無い窓板領域を加熱できるオーム抵抗を有しており、ここで、当該ゾーン加熱素子は、加熱場に対する電気的な並列回路として、少なくとも１つの第１のリボン導体と少なくとも１つの第２のリボン導体とに、直接に導電接続されている。
【００１０】
特に、国際公開第２０１１／１４１４８７号（ＷＯ２０１１／１４１４８７Ａ１）及び同第２０１２／１１０３８１号（ＷＯ２０１２／１１０３８１Ａ１）の加熱可能な透明窓板は、或る程度の進歩をもたらしたが、市場の要求の増大から従来公知の窓板に対するさらなる改善が望まれている。
【００１１】
ここで、国際公開第２０１１／１４１４８７号（ＷＯ２０１１／１４１４８７Ａ１）の窓板の構成は、ウィンドウワイパの静止位置もしくは停止位置の領域の幾何学形状のために、僅か数種のモデルの自動車でしか使用できない。さらに、全ての要求を満足するための、給電電圧のバリエーション及び加熱層の種々のオーム抵抗への適合化に関する構成については、充分なフレキシビリティが得られない。
【００１２】
国際公開第２０１２／１１０３８１号（ＷＯ２０１２／１１０３８１Ａ１）の加熱可能な透明窓板には、熱線を例えばポリビニルブチラル（ＰＶＢ）から成る接着フィルムに形成する付加的な方法ステップが必要となるという欠点がある。当該付加的な方法ステップのために、接着フィルムをラミネーション前に適用しなければならず、このことは汚染による故障率の上昇及び欠陥率の上昇をもたらす。
【００１３】
欧州特許第１６２６９４０号明細書（ＥＰ１６２６９４０Ｂ１）から、水の凝縮を防止する加熱可能なガラスが公知である。当該ガラスは、少なくとも１つの側に、複数の切欠部／凹部を有する抵抗層又は加熱層を含み、これにより、当該ガラスは予め設定された所望の電気抵抗を有する。この場合、抵抗層又は加熱層は、切欠部／凹部によって、相互に接続された複数の領域へ分割される。また、切欠部／凹部は、種々の抵抗ひいては種々の加熱作用を有する種々の幾何学形状特性の各領域を形成するタイプのものであってよい。当該切欠部／凹部は、レーザー技術によって又はループによって形成可能である。当該ガラスは特に、バー、菓子店又はスーパーマーケットで通常使用されているような冷蔵庫に適用される。ここで欠点となるのは、抵抗層又は加熱層を少なくとも２つのバスバー間もしくは集導体間に配置しなくてはならず、このため集導体によって画定される抵抗層もしくは加熱層の外側では加熱力が全く得られないか又は僅かしか得られないということである。当該公知の加熱可能なガラスがウィンドウワイパの静止位置もしくは停止位置の領域の加熱部として適するか否かは、当該欧州特許からは判別できない。加えて、当該欧州特許の図３からは電流路の形状特性が明瞭に読み取れない。なぜなら、互いに向かい合う２つの長いバスバーが同様に切欠部／凹部によって電気的に相互に絶縁された２つの領域に分割されているからである。
【００１４】
各文献、すなわち、国際公開第２０１１／１４１４８７号（ＷＯ２０１１／１４１４８７Ａ１）、同第０３／０５１０８８号（ＷＯ０３／０５１０８８Ａ２）、米国特許出願公開第５８７７４７３号明細書（ＵＳ５８７７４７３Ａ）及び欧州特許出願公開第０５２４５３７号明細書（ＥＰ０５２４５３７Ａ２）からは電気的に加熱可能なコーティングとワイパ領域を加熱するための特別の手段とを備えた、別の前部窓板が公知である。
【発明の概要】
【発明が解決しようとする課題】
【００１５】
これらに対して、本発明の課題は、従来公知の、電気加熱層とウィンドウワイパの静止位置もしくは停止位置の領域（以下「ワイパ停止ゾーン」と称する）の加熱部とを有する、加熱可能な透明窓板を有利に改善することである。加熱可能な透明窓板を改善して、低コストで製造可能であってかつ電気加熱層の種々のオーム抵抗及び給電電圧の種々のレベルに適合可能な、ワイパ停止ゾーンの領域の加熱部を実現する。
【課題を解決するための手段】
【００１６】
この課題及び別の課題は、本発明で提案される、独立請求項の特徴を有する加熱可能な透明窓板によって解決される。本発明の有利なさらなる実施形態は、各従属請求項の特徴によって示されている。
【００１７】
本発明の窓板の有利な一実施形態では、第１の窓板材の、電気加熱可能なコーティングが配置された表面が、熱可塑性の中間層を介して、第２の窓板材に面状に接続される。
【００１８】
第１の窓板材及び場合により第２の窓板材として、基本的に、本発明の窓板の製造条件及び使用条件のもとで熱的及び化学的に安定でありかつ寸法安定であるあらゆる電気絶縁性基板が適している。
【００１９】
第１の窓板材及び／又は第２の窓板材は、好ましくはガラスを含み、特に好ましくは板ガラス、フロートガラス、石英ガラス、ホウケイ酸ガラス、石灰ソーダガラス、又は、クリアプラスチック、好ましくは剛性のクリアプラスチック、特にポリエチレン、ポリプロピレン、ポリカーボネート、ポリメチルメタクリレート、ポリスチロール、ポリアミド、ポリエステル、ポリ塩化ビニル及び／又はこれらの混合物を含む。第１の窓板材及び／又は第２の窓板材は、好ましくは、特にこれらの窓板材を車両の前部窓板又は後部窓板として使用するため、又は、高い光透過率が望ましい他の用途のために、透明である。ここで、本発明において「透明」とは、窓板材が可視スペクトル領域において７０％を超える透過率を有することをいう。交通上重要な運転者の視界内に位置しない窓板、例えばルーフガラスの場合には、透過率を格段に低く、例えば５％超とすることもできる。
【００２０】
本発明での窓板材の厚さは幅広く変化させることができるので、個別的事例の要求に合わせて適合化できるという点に優れている。好ましくは、車両用ガラスでは標準厚さが１．０ｍｍから２５ｍｍまで、好ましくは１．４ｍｍから２．５ｍｍまでである窓板材が使用され、家具、機器及び建物、特に電気ヒータボディには、標準厚さが好ましくは４ｍｍから２５ｍｍまでの窓板材が用いられる。窓板材のサイズは幅広く変化させることができ、本発明の使用のサイズに従って定めることができる。第１の窓板材及び場合により第２の窓板材の通常の面積は、例えば車両産業や建築分野では２００ｃｍ２から２０ｍ２までである。
【００２１】
本発明での窓板材は、任意の３次元形状を有することができる。好ましくはこの３次元形状は、例えば陰極スパッタリングによってコーティングできるよう、陰となるゾーンを有さない。好ましくは、基板は平坦であるか、又は、空間の１方向もしくは複数方向に、軽度にもしくは強度に湾曲している。特には平坦な基板が用いられる。窓板材は無色又は有色とすることができる。
【００２２】
複数の窓板材を少なくとも１つの中間層によって互いに結合することができる。中間層は好ましくは、少なくとも１種の熱可塑性プラスチックを含み、好ましくはポリビニルブチラル（ＰＶＢ）、エチレンビニルアセテート（ＥＶＡ）及び／又はポリエチレンテレフタレート（ＰＥＴ）を含む。また熱可塑性の中間層は、例えばポリウレタン（ＰＵ）、ポリプロピレン（ＰＰ）、ポリアクリレート、ポリエチレン（ＰＥ）、ポリカーボネート（ＰＣ）、ポリメチルメタクリレート、ポリ塩化ビニル、ポリアセテート樹脂、注型用樹脂、フッ化エチレンプロピレン共重合体、ポリフッ化ビニル及び／又はエチレン‐テトラフルオロエチレン共重合体又はこれらの共重合体もしくは混合物を含むこともできる。熱可塑性の中間層は、１つの熱可塑性フィルム、又は、複数の熱可塑性フィルムを積層したものにより構成することができる。この場合、１つの熱可塑性フィルムの厚さは好ましくは０．２５ｍｍから１ｍｍまで、典型的には０．３８ｍｍ又は０．７６ｍｍである。
【００２３】
第１の窓板材と中間層と第２の窓板材とから成る本発明の複合窓板の場合、電気加熱可能なコーティングを第１の窓板材に直接形成することができ、又は、支持フィルムもしくは中間層自体に形成することもできる。第１の窓板材及び第２の窓板材は、それぞれ、内側表面と外側表面とを有する。第１の窓板材及び第２の窓板材の内側表面は互いに向き合っており、熱可塑性の中間層を介して互いに結合されている。第１の窓板材及び第２の窓板材の外側表面は互いに反対側を向いており、かつ、熱可塑性の中間層とは反対側を向いている。導電性コーティングは、第１の窓板材の内側表面に形成されている。もちろん、第２の窓板材の内側表面に別の導電性コーティングを形成することもできる。窓板材の各外側表面もコーティングを有することができる。「第１の窓板材」及び「第２の窓板材」なる用語は、本発明の複合窓板における２つの窓板材を区別するために選択されたものであり、当該用語は、幾何学配置について何らの特定をするものでもない。本発明の窓板が例えば、車両又は建物などの開口に設けられて外部環境から内側スペースを分離するためのものである場合、第１の窓板材は、内側スペース側にも又は外部環境側にも位置することができる。
【００２４】
本発明の透明窓板は、少なくとも窓板面の大部分にわたって、特にその視界全体にわたって延在する加熱可能な導電性の透明なコーティングを有している。導電性のコーティングは、給電電圧の印加によって、２つの集電極間に形成された加熱場を介して加熱電流が流れるように、電圧源の両極に電気的に接続される、少なくとも２つ、特に２つの集電極に電気的に接続されている。典型的には、２つの集電極はそれぞれ、電流を導電性コーティング内に導入して広範囲に分配するためのストリップ状又は帯状の電極又は集電バー又はバスバーの形態で構成される。このために、集電極は加熱層に直流接続されている。
【００２５】
２つの集電極の少なくとも一方、特に１つの集電極、特に透明窓板が組み付けられた状態において上方に位置する集電極は、少なくとも２つ、特に２つの、互いに分離された部分領域に分割されている。
【００２６】
有利な一実施形態では、集電極は、印刷及び焼成された導電パターン部として形成される。印刷された集電極は、好ましくは、少なくとも１種の金属、金属合金、金属化合物及び／又は炭素、特に好ましくは貴金属、特に銀を含む。集電極を形成するための印刷ペーストは、好ましくは、金属粒子及び／又は炭素と、特に貴金属粒子、例えば銀粒子とを含む。その導電性は、好ましくは導電性粒子によって達成される。粒子は、好ましくはガラスフリットを含む印刷ペーストとして、ペースト又はインクなどの有機及び／又は無機のマトリクス中に存在することができる。
【００２７】
印刷された集電極の層厚さは、好ましくは５μｍから４０μｍまでであり、特に好ましくは８μｍから２０μｍまでであり、さらに特に好ましくは８μｍから１２μｍまでである。上述した厚さの印刷された集電極は、技術的に簡単に実現することができ、有利な電流容量を有する。
【００２８】
集電極の比抵抗ρａは、好ましくは０．８μΩ・ｃｍから７．０μΩ・ｃｍまでであり、特に好ましくは１．０μΩ・ｃｍから２．５μΩ・ｃｍまでである。こうした範囲内の比抵抗を有する集電極は、技術的に簡単に実現することができ、有利な電流容量を有する。
【００２９】
これに代えて、集電極をストリップとして、又は、集電極が複数の部分領域に分割されている場合には集電極を導電性フィルムの少なくとも２つ、特に２つのストリップとして、形成することもできる。この場合、集電極は、例えば少なくともアルミニウム、銅、めっき銅、金、銀、亜鉛、タングステン及び／又は錫又はこれらの合金を含む。当該ストリップは、好ましくは１０μｍから５００μｍまでの厚さ、特に好ましくは３０μｍから３００μｍまでの厚さを有する。上述した厚さの導電性フィルムから成る集電極は、技術的に簡単に実現することができ、有利な電流容量を有する。ストリップは、例えばはんだ材、導電性接着剤又は直接載置により、導電パターン部に導電接続することができる。
【００３０】
本発明の窓板での導電性コーティングは、加熱場、すなわち、加熱電流を導入できるように２つの集電極間に位置する、この導電性コーティングの加熱可能な部分と、上述した加熱場外の領域とに分割することができる。
【００３１】
電気加熱可能なコーティングは、例えば独国特許実用新案第２０２００８０１７６１１号明細書（ＤＥ２０２００８０１７６１１Ｕ１）、欧州特許第０８４７９６５号明細書（ＥＰ０８４７９６５Ｂ１）又は国際公開第２０１２／０５２３１５号（ＷＯ２０１２／０５２３１５Ａ１）から公知である。これらの導電性コーティングは、典型的には、１つ又は複数の機能層、例えば２つ、３つもしくは４つの導電性の機能層を含む。当該機能層は、好ましくは、少なくとも１種の金属、例えば銀、金、銅、ニッケル及び／又はクロム又は金属合金を含む。機能層は、特に好ましくは少なくとも９０重量％の金属、特に少なくとも９９．９重量％の金属を含む。機能層は、上述した金属又は金属合金から形成することができる。機能層は、特に好ましくは銀又は銀含有合金を含む。こうした機能層は、特に有利な導電率を示すと同時に、可視スペクトル領域において高い透過率を有する。当該機能層の厚さは、好ましくは５ｎｍから５０ｎｍまでであり、特に好ましくは８ｎｍから２５ｎｍまでである。機能層の厚さの上述した範囲内では、可視スペクトル領域における有利な高さの透過率と、特に有利な導電率とが達成される。
【００３２】
典型的には、導電性コーティングの各２つの隣接する機能層間にそれぞれ、少なくとも１つの誘電層が配置されている。好ましくは、最初の機能層の下方及び／又は最後の機能層の上方に、さらに別の誘電層が配置される。誘電層は、例えば窒化シリコンなどの窒化物又は酸化アルミニウムなどの酸化物の誘電体材料から成る少なくとも１つの単層を含む。また、誘電層は複数の単層を含むこともでき、例えば誘電体材料の単層、平坦化層、整合層、阻止層及び／又は反射防止層を含むこともできる。１つの誘電層の厚さは、例えば１０ｎｍから２００ｎｍまでである。
【００３３】
こうした積層体は一般的に、磁場アシスト陰極スパッタリングなどの真空法により行われる一連の成膜プロセスによって得られる。
【００３４】
他の適した導電性コーティングは、好ましくは、インジウム錫酸化物（ＩＴＯ）、フッ素ドープされた酸化錫（ＳｎＯ２：Ｆ）又はアルミニウムドープされた酸化亜鉛（ＺｎＯ：Ａｌ）を含む。
【００３５】
導電性コーティングは、基本的に、電気的にコンタクトされるあらゆるコーティングとすることができる。本発明の窓板が、例えば窓領域の窓板のように透視を可能とするものである場合、導電性コーティングは好ましくは透明である。導電性コーティングは好ましくは電磁放射に対して透明であり、特に好ましくは３００ｎｍから１３００ｎｍまでの波長の電磁放射に対して、特に可視光に対して透明である。
【００３６】
有利な一実施形態では、導電性コーティングは、全厚さが２μｍ以下、特に好ましくは１μｍ以下の１つの層であるか又は複数の単層の積層体である。
【００３７】
有利な導電性コーティングは、０．４Ω／□から１０Ω／□までのシート抵抗を有する。特に好ましい一実施形態では、本発明の導電性コーティングは、０．５Ω／□から１Ω／□までのシート抵抗を有する。こうしたシート抵抗を有するコーティングは、１２Ｖから４８Ｖまでの典型的な車載電圧の場合において車両窓板を加熱するため、又は、５００Ｖまでの典型的な車載電圧を有する電気自動車において、特に適している。
【００３８】
導電性コーティングは、第１の窓板材の表面全体にわたって延在することができる。これに代えて、導電性コーティングは第１の窓板材の表面の一部のみに延在してもよい。導電性コーティングは、好ましくは、第１の窓板材の内側表面の少なくとも５０％にわたって、特に好ましくは少なくとも７０％にわたって、さらに特に好ましくは少なくとも９０％にわたって延在する。
【００３９】
複合窓板としての本発明の透明窓板の有利な一実施形態では、第１の窓板材の内側表面は、導電性コーティングが施されていない２ｍｍから５０ｍｍまでの幅の、好ましくは５ｍｍから２０ｍｍまでの幅の周縁領域を有する。この場合、導電性コーティングは、周囲との接触部を有さず、窓板材の内側において、熱可塑性の中間層により、有利には損傷や腐食から保護される。
【００４０】
本発明の透明窓板では、加熱場は、導電性コーティングが存在しない少なくとも１つのコーティング無しゾーンを含む。コーティング無しゾーンは、少なくとも一部のセクションが上述した導電性コーティングによって形成されているゾーン縁部によって画定されている。
【００４１】
特に、コーティング無しゾーンは、全部が上述した導電性コーティングによって形成されるゾーン周縁部を有する。
【００４２】
これに対して、コーティング無しゾーンが、本発明の透明窓板の、窓板縁部を包囲するコーティング無しの縁部ストリップに直接に接続されるように、ゾーン縁部を導電性コーティングのコーティング周縁部に移行させることもできる。
【００４３】
コーティング無しゾーンはきわめて種々の輪郭を有しうる。ここで、当該輪郭は、丸められた角及び／又は曲線状の辺を有する正方形、長方形、台形、３角形、５角形、６角形、７角形又は８角形とすることができ、かつ、円形、オーバル形、雫形又は楕円形とすることができる。その輪郭線は、直線状、波状、ジグザグ状及び／又は鋸歯状の形状を有することができる。こうした幾何学特徴のうち複数を、同一のコーティング無しゾーンにおいて実現することができる。
【００４４】
特に、コーティング無しゾーンは、電磁放射、特にＩＲ放射、レーダ放射及び／又は無線放射に対して透過性を有する通信窓として用いられる。さらに、当該通信窓内にセンサを、例えば降雨センサを配置することもできる。
【００４５】
コーティング無しゾーンは、例えば、加熱層を基板上に形成するときにマスキングによって、又は、電気加熱可能なコーティングの形成後に、例えば機械的及び／又は化学的除去により及び／又は電磁放射の照射、特にレーザー光の照射による除去により加熱層を除去することによって、形成することができる。
【００４６】
好ましい一実施形態では、少なくとも１つのコーティング無しゾーンが設けられる。好ましくは、少なくとも２つの、特に少なくとも３つのコーティング無しゾーンが設けられる。
【００４７】
好ましくは、少なくとも１つのコーティング無しゾーン又は少なくとも１つの通信窓は、透明窓板が組み付けられた状態での上方の領域に配置される。
【００４８】
集電極どうし及び／又はその部分領域どうしは、１つもしくは複数の供給線によって電気的に接続される。
【００４９】
供給線は、好ましくは、可撓性のフィルム導体又はフラット導体又はリボン導体として形成されている。ここで、電気導体とは、幅が厚さより格段に大きい電気導体をいう。こうしたフラット導体は例えば、銅、めっき銅、アルミニウム、銀、金もしくはその合金を含む又はこれらから成るストリップ又はリボンである。フラット導体は、例えば、２ｍｍから１６ｍｍまでの幅と、０．０３ｍｍから０．１ｍｍまでの厚さとを有する。当該フラット導体は、絶縁性の、好ましくはポリマーの、例えばポリイミドベースの外被を備えることができる。窓板の導電性コーティングのコンタクトを行うのに適したフラット導体の総厚さは、例えば０．３ｍｍのみである。このような薄いフラット導体は、困難なしに、各窓板材間の熱可塑性の中間層内に埋め込むことができる。リボン導体内には、互いに電気的に絶縁された複数の導電層を設けることができる。
【００５０】
これに代えて、細い金属ワイヤを給電線として使用することもできる。こうした金属ワイヤは、特に銅、タングステン、金、銀、アルミニウム又はこれらのうち少なくとも２種の金属の合金を含む。また、合金は、モリブデン、レニウム、オスミウム、イリジウム、パラジウム又は白金を含むこともできる。
【００５１】
本発明の透明窓板の好ましい一実施形態では、少なくとも２つ、特に２つの各集電極が、それぞれフラット導体を用いて電圧源の極に導電接続されている。
【００５２】
別の好ましい一実施形態では、少なくとも１つ、特に１つの集電極の少なくとも２つ、特に２つの各部分領域が、電圧源に接続されたそれぞれ１つのフラット導体に導電接続される。好ましくは、当該フラット導体は、部分領域のうち、窓板縁部の各対応する第２の辺の近傍にある部分に配置されている。こうした実施形態で、給電線からのフラット導体の電気的絶縁は、各構成要素を空間的に分離することにより行われる。
【００５３】
さらに別の好ましい一実施形態では、少なくとも１つ、特に１つの集電極の少なくとも２つ、特に２つの各部分領域が、１つのフラット導体に導電接続される。こうした実施形態では、好ましくは、フラット導体は、部分領域の互いに向かい合う両端間の中央に配置される。好ましくは、こうした構成は、１つの共通の導電性の接続部品によって、又は、各部分領域に対応する２つの導電性の接続部品によって実現される。フラット導体は、平坦な金属ストリップ、特に銅ストリップによって導電性の接続部品に接続することができる。
【００５４】
ここで、フラット導体と少なくとも１つの接続部品と場合により平坦な金属ストリップ、特に銅ストリップとは、少なくとも２つの給電線から電気的に絶縁されて配置される。
【００５５】
このようなケースでは、フラット導体と一方の接続部品との間の電気的絶縁、及び、フラット導体と他方の少なくとも２つの給電線との電気的絶縁は、フラット導体と一方の接続部品との間及びフラット導体と他方の少なくとも２つの給電線との間において、電気絶縁層を用いて、特にストリップ状の電気絶縁層を用いて行われる。電気絶縁層、特にストリップ状の電気絶縁層は、少なくとも、接続部品と少なくとも２つの給電線との交点を覆う。また、電気絶縁層は、部分領域の互いに向かい合う両端面に当接していてもよい。
【００５６】
好ましくは、当該装置は、全体として、
・窓板材と、
・給電線の、絶縁部によって覆われた区間と、
・コーティングのうち加熱場外にある、給電線に隣接する部分領域であって、この部分領域のゾーン縁部に、電気絶縁層の互いに向かい合う端面が当接し、同時に、各端面が集電極の部分領域の２つの互いに向かい合う端面に当接してよい部分領域と、
・電気絶縁層上に載置されるフラット導体と、
・集電極の部分領域と、
・集電極の部分領域に電気的に接続された接続部品と
を上下に重ねたものから成る層状構成を有する。
【００５７】
こうした構成の重要な利点は、１つの集電極の２つの部分領域に給電するために必要なフラット導体が１つのみとなることであり、これにより、本発明の透明窓板の製造は格段に簡単化される。
【００５８】
本発明の透明窓板にとって重要なのは、加熱場の外に、上述した少なくとも１つの、特に１つの集電極によって空間的に分離された状態で、窓板縁部の少なくとも１つの、特に１つの第１の辺に沿って、少なくとも１つの、特には１つの、上述した形式の別の加熱可能な導電性コーティングが設けられるということである。好ましくは、当該別の加熱可能な導電性コーティングは、本発明の窓板が組み付けられた状態での、下方の集電極の下方、及び／又は、ワイパ停止ゾーンの領域にある上方の集電極の上方に配置される。
【００５９】
当該別の加熱可能な導電性コーティングでは、窓板縁部の２つの第２の辺の領域において、それぞれ少なくとも１つの付加電極、特に少なくとも２つの付加電極が配置される。好ましくは、当該少なくとも２つの付加電極は、本発明の窓板が組み付けられた状態での垂直方向に配向される。付加電極は、それぞれ、少なくとも１つ、特に１つの給電線を介して、最も近い、反対の極性の集電極を含む集電極に接続される。これは、上方の集電極が電圧源の正の電荷を有する極に電気的に接続される場合に、上方の集電極の上方に配置された２つの付加電極が、給電線を介して、負の電荷を有する下方の集電極に電気的に接続されることを意味する。これに対して、付加電極が、別の加熱可能な導電性コーティングにおいて、例えば負の電荷を有する集電極の下方に配置される場合、各付加電極は給電線を介して正の電荷を有する上方の集電極に電気的に接続される。なお、当業者は、本発明の技術的教説に基づく別の構成も容易に示すことができる。
【００６０】
好ましくは、付加電極及び給電線は幅よりも長さのほうが格段に長い。当該長さは、主に、本発明での窓板材の寸法に合うように調整される。好ましくは１０μｍから１０ｍｍまで、特に１０μｍから１ｍｍまでである。好ましくは、各付加電極は、集電極と同じ厚さを有する。
【００６１】
特に好ましくは、各給電線は、その全長にわたって、一定の厚さ及び幅を有する。
【００６２】
当該給電線は、対応する各コーティング縁部に沿って及び窓板縁部の２つの第２の辺に沿って、少なくとも一部のセクションで、
・対応する縁部ストリップ内、
・それぞれ少なくとも１つの対応するコーティング無し線により加熱場から電気的に分離された状態で、周囲のコーティング縁部の対応する部材上、及び／又は、
・加熱場の外で、それぞれ少なくとも１つの対応するコーティング無し線により加熱場から電気的に分離された状態で、それぞれ対応する導電性コーティング内及び／又はその上
を延在する。
【００６３】
好ましくは、当該給電線は、加熱場の外で、それぞれ対応する導電性コーティング上を延在する。
【００６４】
好ましくは、当該給電線は、少なくとも一部のセクションで、直線状、波状、メアンダ状、鋸歯状及び／又はジグザグ状に延在する。好ましくは、当該給電線は、その全長にわたって直線状に延在する。
【００６５】
本発明の窓板は、少なくとも１つの、特に１つの別の加熱可能な導電性コーティングにおいて、各付加電極、特に２つの付加電極それぞれに対応し、かつ、反対の極性の対応する集電極に電気的に結合された、少なくとも１つの、特に少なくとも２つの対向電極を有する。
【００６６】
対向電極は２分割され、直接に集電極に接続されるためにこの集電極の極性を有する本来の対向電極と、接続導体とを有する。接続導体は集導体及び対向電極に直接には接続されず、導電性コーティングを介して本来の対向電極に導電接続される。「電気的に結合される」なる概念も相応に解釈可能である。接続導体及び本来の対向電極は、２分割された対向電極の第１の部分領域及び第２の部分領域と称されることもある。
【００６７】
好ましくは、相互に向かい合う付加電極と相互に向かい合う対向電極とは、本発明の窓板の中心線もしくは対称軸線に関して、特に透明窓板の垂直中心線及び対称軸線に関して、鏡面対称に配置される。
【００６８】
本発明の窓板は、さらに、少なくとも１つの、特に１つの別の加熱可能な導電性コーティングにおいて、相互に鏡面対称に配置される、それぞれ少なくとも４つの、好ましくは少なくとも５つのコーティング無し線の少なくとも２つの系、特に２つの系を有する。これらの系は、給電電圧の印加時に少なくとも２つの付加電極（特に少なくとも２つの付加電極のそれぞれ）から流れる加熱電流を、それぞれ少なくとも１つの、好ましくは少なくとも２つの対応する対向電極を介して、それぞれ反対の極性の少なくとも１つの集電極へ配向できるように配置され、ここで、コーティング無し線により電流路ａｎ及びその長さが定められる。
【００６９】
本発明によれば、電流路ａｎの長さについて、式
【数１】
0006351826.tif 000002
が成り立つ。ここで、ｎは２から３０まで、好ましくは２〜２５、特に３〜２０の整数を表し、ＶＨ１は数学的比を表し、ａ１は各付加電極とこれに対応する各対向電極（１９）の最も近い向かい側の部分との間の電流路を表す。
【００７０】
少なくとも２つの付加電極から、少なくとも２つの電流路（一方はａ１、他方はａ２＋ａ３）が各対向電極へ向かって延在する。当該電流路の長さについて、
ＶＨ１＝長さａ１：（長さａ２＋ａ３）＝０．０５〜２．５                    （Ｉ）
が成り立ち、ここで、
（ＶＨ１）は、数学的比を表し、
（ａ１）は、それぞれ上方の付加電極（１８，１８’）から、２分割された対向電極（１９）の垂直脚部の、それぞれ上方の付加電極に対応する最も近い上方部分領域までの電流路を表し、
（ａ２）は、それぞれ下方の付加電極（１８，１８’）から、接続導体（１９’）の、それぞれ下方の付加電極に対応する上方部分領域までの電流路を表し、
（ａ３）は、接続導体（１９’）のそれぞれの下方部分領域から、それぞれ２分割された対向電極（１９）の、下方部分領域に対応する第２の垂直部分領域までの電流路を表す。
【００７１】
好ましくは、ＶＨ１＝０．１〜２、特に０．５〜１．５である。好ましくは、ＶＨ２＝０．５〜２であり、特に０．５〜１．５である。
【００７２】
本発明の系の特に有利な一実施形態では、水平な電流路ａ１〜ａｎ（特にａ１及びａ２＋ａ３）に対して垂直に延在する区間ｈ１〜ｈｎについて、又は、水平な電流路ａ１〜ａｎ（ａ１及びａ２＋ａ３）を画定する、相互に平行に配置された水平なコーティング無し線１６’’の距離ｈ１〜ｈｎ（特にｈ１及びｈ２＋ｈ３）について、式
ＶＨ２＝ｈｎ−１：ｈｎ＝０．５〜２．０、好ましくは０．６〜１．５、特には０．８〜１．２  特に
ＶＨ２＝ｈ１：（ｈ２＋ｈ３）＝０．５〜２．０、好ましくは０．６〜１．５、特には０．８〜１．２
が成り立つ。ここでＶＨ２は該当する数学的比を表す。
【００７３】
コーティング無し線は、少なくとも一部のセクションで、一貫して、及び／又は、複数の個別断部を有する破線として延在する。好ましくは、コーティング無し線は、その全長にわたって一貫して、つまり断部なく延在する。
【００７４】
コーティング無し線の長さは幅広く変動することができるので、有利には、個別的事例の要求に合わせて適合化できる。コーティング無し線の幅はその長さより格段に小さく、コーティング無し線の形状は変化することができる。好ましくは、その幅は全長において一定である。好ましくは、幅は１０μｍから１ｍｍまでの範囲内にある。
【００７５】
少なくとも４つのコーティング無し線のこうした系により、少なくとも２つの電流路ａｎが、該当する下方及び／又は上方の、特に下方の、別の加熱可能な導電性コーティングにおいて定められる。給電電圧が印加されると、この系において、加熱電流が、少なくとも１つの付加電極から少なくとも１つの対向電極及び電流路を介して、下方及び／又は上方の集電極へ流れる。
【００７６】
この場合、本発明の系の特別の利点は、１つもしくは複数の下方及び／又は上方の別の加熱可能な導電性コーティングが均等に加熱され、比熱エネルギが３００Ｗ／ｍ２〜９００Ｗ／ｍ２、好ましくは３５０Ｗ／ｍ２〜８００Ｗ／ｍ２となることである。
【００７７】
付加電極及び対向電極及びコーティング無し線の系の構成のさらなる特別の利点は、例えば、付加電極及び／又は対向電極の単純な平行移動によって、比熱エネルギを（例えばホットスポット及び／又はコールドスポットを発生させて）不都合に変化させることなく、全体の構成を個々のケースの要求に簡単に適合させることができるということである。個々のケースで最適な構成は、通常公知のシミュレーションプログラムによって簡単に求めることができる。
【００７８】
全体では、本発明の窓板の構成は、０℃未満、特に−１０℃未満のきわめて低い温度においても、ワイパ停止ゾーンに停止しているウィンドウワイパの凍結を防止するのにきわめて有効である。
【００７９】
本発明の透明窓板の好ましい一実施形態では、集電極と１つ又は複数のフラット導体と１つ又は複数の付加電極と給電線とコーティング無し線の系とが配置された領域の一部又は全部が、通常公知の、視覚的隠蔽を行う不透明もしくは非透光性のマスキングテープによって光学的にマスキングされる。マスキングテープは、当該領域にある上述した機能素子及び別の機能素子を覆い、またこれらの機能素子を損なうおそれのあるＵＶ放射からも保護する。具体的には、黒色のマスキングテープは、縁部が光学的に部分透明の部分領域へ移行する、視覚的隠蔽を行う不透明な部分領域を含む。光学的に部分透明の部分領域は例えば点状パターンである。好ましくは、当該マスキングテープは、内面すなわち外側窓板材の、内側窓板材に向かう側の面に、スクリーン印刷によって形成され、その後、２つの窓板材が接着層によって接合される。
【００８０】
好ましくは、マスキングテープの事前製品が、スクリーン印刷によって、未だコーティングされていない窓板材上に塗布され、その後、塗布された層が焼成される。
【００８１】
本発明の窓板は、通常公知の方法で製造可能である。好ましくは、本発明の窓板は、本発明の方法を用いて製造される。
【００８２】
本発明の方法は、
（Ａ）導電性コーティングを形成するステップと、
（Ｂ）加熱場の導電性コーティングに、コーティング無しの少なくとも１つの通信窓を形成するステップと、
（Ｃ）（ｃ１）電圧源の２つの極に接続されかつ導電性コーティングに電気的に接続される少なくとも２つの集電極を形成し、給電電圧を印加することにより、２つの集電極間に存在する加熱場を介して加熱電流を流れさせるステップ、及び／又は、
（ｃ２）電圧源の２つの極に接続されかつ導電性コーティングに電気的に接続される少なくとも２つの集電極を形成し、その際に、２つの集電極の少なくとも一方が空間的に相互に分離された少なくとも２つの部分領域に分割されるように形成するステップと、
（Ｄ）（ｄ１）透明窓板の垂直中心線及び対称軸線に関して鏡面対称に相互に向かい合う、少なくとも２つの付加電極を形成し、
（ｄ２）透明窓板の垂直中心線及び対称軸線に関して鏡面対称に相互に向かい合い、かつ、付加電極に電気的に対応し、かつ、給電電圧が印加される際に反対の極性の集電極に電気的に結合される、少なくとも２つの対向電極を形成し、
（ｄ３）透明窓板の垂直中心線及び対称軸線に関して鏡面対称に相互に配置され、かつ、それぞれ少なくとも１つの、特にはそれぞれ少なくとも２つの付加電極とそれぞれ少なくとも１つの集電極又はそれぞれ少なくとも１つのその部分領域とを接続し、かつ、対応する各コーティング縁部に沿って及び窓板縁部の２つの第２の辺に沿って、少なくとも一部のセクションで、
・対応する各縁部ストリップ内、
・それぞれ少なくとも１つの対応するコーティング無し線により加熱場から電気的に分離された状態で、周囲のコーティング縁部の対応する部材上、及び／又は、
・加熱場の外で、それぞれ少なくとも１つの対応するコーティング無し線により電気的に分離された状態で、それぞれ対応する導電性コーティング内
を延在する、少なくとも２つの給電線を形成し、
（Ｅ）（ｅ１）給電線に沿って加熱場の側方を延在する少なくとも２つのコーティング無し線を形成し、
（ｅ２）透明窓板の垂直中心線及び対称軸線に関して相互に鏡面対称に向かい合う、それぞれ少なくとも４つのコーティング無し線の少なくとも２つの系を形成するステップであって、
この系を、給電電圧の印加時に、少なくとも２つの付加電極から流れる加熱電流が、少なくとも２つの電流路を介して、及び、それぞれ対応する少なくとも２つの対向電極を介して、それぞれ反対の極性の少なくとも１つの集電極へ配向されるように、配置し、
電流路の長さについて、式、すなわち、
ＶＨ１＝長さａ１：（長さａ２＋ａ３）＝０．０５〜２．５                    （Ｉ）
が成り立ち、ここで、
（ＶＨ１）は、数学的比を表し、
（ａ１）は、それぞれ上方の付加電極（１８，１８’）から、２分割された対向電極（１９）の第２の部分領域である垂直脚部の、それぞれ上方の付加電極に対応する最も近い上方部分領域までの電流路を表し、
（ａ２）は、それぞれ下方の付加電極（１８，１８’）から、２分割された対向電極（１９）の第１の垂直部分領域の、それぞれ下方の付加電極に対応する上方部分領域までの電流路を表し、
（ａ３）は、２分割されたそれぞれの対向電極（１９）の第１の垂直部分領域のそれぞれの下方部分領域から、２分割されたそれぞれの対向電極（１９）の第２の部分領域の、それぞれ下方部分領域に対応する他方の垂直部分領域までの電流路を表す、ステップ
を含み、
好ましくは、ＶＨ１＝０．１〜２であり、特に０．５〜１．５であり、好ましくはＶＨ２＝０．５〜２であり、特に０．５〜１．５であり、
（Ｆ）ここで、方法ステップ（Ｂ）及び方法ステップ（Ｅ）は連続して又は同時に実行され、
（Ｇ）方法ステップ（Ｃ）及び方法ステップ（Ｄ）は、同時にもしくは連続して、方法ステップ（Ｂ）及び方法ステップ（Ｅ）の前又は後に実行される。
【００８３】
本発明の方法の好ましい実施形態では、少なくとも４つのコーティング無し線と少なくとも２つの系とが導電性コーティングのレーザーアブレーションによって加熱場の内外に製造される。
【００８４】
本発明の系の特に有利な実施形態では、水平な電流路ａ１〜ａｎに対して垂直に延在する区間ｈ１〜ｈｎについて、又は、水平な電流路ａ１〜ａｎを画定する、相互に平行に配置された水平なコーティング無し線１６’’の距離ｈ１〜ｈｎについて、式
ＶＨ２＝ｈｎ−１：ｈｎ＝０．５〜２．０、好ましくは０．６〜１．５、特に０．８〜１．２
が成り立ち、ここで、ＶＨ２は、該当する数学的比を表す。
【００８５】
特に、ＶＨ２＝ｈ１：（ｈ２＋ｈ３）＝０．５〜２．０が成り立つ。
【００８６】
別の好ましい一実施形態では、方法ステップ（Ｃ）及び方法ステップ（Ｄ）がスクリーン印刷によって行われる。
【００８７】
具体的には、方法ステップ（Ａ）において導電性コーティングの形成を、それ自体公知の手法、好ましくは磁場アシスト陰極スパッタリングによって、行うことができる。こうした形成は、本発明の窓板が複合窓板として構成されている場合に、第１の窓板材のコーティングを簡単、迅速、低コストかつ均一に行えるという点で、特に有利である。また、加熱可能な導電性コーティングは、例えば蒸着法、化学気相蒸着法（chemical vapour deposition、ＣＶＤ）、プラズマアシスト気相蒸着法（ＰＥＣＶＤ）又はウェットケミカルプロセスにより形成することもできる。
【００８８】
方法ステップ（Ａ）の後、第１の窓板材に熱処理を施すことができる。この場合、導電性コーティングが設けられた第１の窓板材を、少なくとも２００℃、好ましくは少なくとも３００℃の温度まで加熱する。熱処理は、導電性コーティングの透過率の上昇及び／又はシート抵抗の低減に用いることができる。
【００８９】
方法ステップ（Ａ）の後、第１の窓板材を、典型的には５００℃から７００℃までの温度で曲げることができる。平坦な窓板材にコーティングすることの方が技術的に簡単であるから、こうした手順は、第１の窓板材を曲げる必要がある場合に有利である。また、これに代えて、例えば導電性コーティングが損傷を生じずに曲げ工程に耐えるのに適していない場合には、第１の窓板材を方法ステップ（Ａ）の前に曲げることもできる。
【００９０】
方法ステップ（Ｃ）において集電極を設け、方法ステップ（Ｅ）において給電線を設けることは、好ましくは、導電性ペーストをスクリーン印刷法又はインクジェット法で印刷して焼成することにより行われる。これに代えて、集電極及び給電線を導電性フィルムのストリップとして導電性コーティング上に形成することができ、好ましくは載置又ははんだ付け又は接着することができる。
【００９１】
スクリーン印刷法では、横方向における成形は、金属粒子を含む印刷ペーストを織布に通過させて印刷する織布のマスキングによって行われる。マスクの適切な成形により、例えば、集電極の幅を特に簡単に設定及び変更することができる。
【００９２】
方法ステップ（Ｂ）において好ましくは、方法ステップ（Ａ）において形成された加熱可能なコーティングを機械的に除去することにより、コーティング無しゾーンが形成される。機械的な除去に代えて又は機械的な除去とともに、適切な化学物質を用いた処理及び／又は電磁放射の照射を行うこともできる。
【００９３】
本発明の方法の有利な一実施形態は、少なくとも、
・第１の窓板材のコーティングされた表面上に熱可塑性の中間層を配置し、熱可塑性の中間層上に第２の窓板材を配置するステップ、及び、
・熱可塑性の中間層を介して第１の窓板材と第２の窓板材とを接合するステップ
を含む。
【００９４】
当該方法ステップでは、第１の窓板材の、加熱可能なコーティングが施された表面が、熱可塑性の中間層の方に向かうように、第１の窓板材を配置する。これにより、当該表面は第１の窓板材の内側表面となる。
【００９５】
熱可塑性の中間層は、単一の熱可塑性フィルムによって、又は、２つ以上の熱可塑性フィルムを面状に互いに重ねて配置することによって、構成することもできる。
【００９６】
第１の窓板材と第２の窓板材との接合は、好ましくは、熱、真空及び／又は圧力の作用のもとで行われる。窓板を製造するためのそれ自体公知の手法を使用することができる。
【００９７】
例えば、約１０ｂａｒから１５ｂａｒまでの昇圧した圧力で、かつ、１３０℃から１４５℃までの温度で、約２時間にわたっていわゆるオートクレーブ法を実施可能である。公知の真空チャック法又は真空リング法は、例えば約２００ｍｂａｒで、かつ、８０℃から１１０℃までで動作する。第１の窓板材と熱可塑性の中間層と第２の窓板材とを、カレンダ機の少なくとも１対のローラ間でプレスして１枚の窓板にすることもできる。こうした方式の設備は、窓板製造において公知であり、通常は、プレス機構前に少なくとも１つの加熱トンネルを備える。プレス工程中の温度は、例えば４０℃から１５０℃までである。カレンダ法とオートクレーブ法との組み合わせは、実用上特に優れていることが判明している。これに代えて、真空ラミネータを使用することもできる。この真空ラミネータは、１つ又は複数の加熱可能かつ排気可能なチャンバから成り、このチャンバ内において、第１の窓板材と第２の窓板材とを例えば約６０分以内で、０．０１ｍｂａｒから８００ｍｂａｒまでの降圧した圧力で、かつ、８０℃から１７０℃までの温度でラミネートする。
【００９８】
本発明の透明窓板、特に、本発明の方法を用いて形成された本発明の透明窓板は、機能性独立品及び／又は装飾性独立品として、及び／又は、家具、機器、建物の組付部品として、並びに、陸上移動手段、航空用移動手段もしくは水上移動手段、特に自動車において、例えば前部窓板、後部窓板、側部窓板及び／又はガラスルーフとして使用できるという点で優れている。好ましくは、本発明の透明窓板は、車両前部窓板又は車両側部窓板として構成される。
【００９９】
上述した各特徴及び後述する各特徴は、ここに示す組み合わせ及び編成においてだけでなく、本発明の範囲を逸脱しないかぎり、別の組み合わせ及び編成においても又は単独でも適用可能であると解すべきである。
【図面の簡単な説明】
【０１００】
本発明を、添付図を参照しながら、実施形態に即して詳細に説明する。図は概略化したものであり、縮尺通りに描かれてはいない。
【図１】本発明の前部窓板１の概略図示としての上面図である。
【図２】図１の本発明の前部窓板の一部分の垂直方向の断面図である。
【図３】図１の本発明の前部窓板の一部分の斜視図である。
【図４】図１の本発明の前部窓板１の詳細部分Ｂの上面図である。
【図５】図１の本発明の前部窓板１の構成例の詳細部分Ａの上面図である。
【図５Ｃ】図５の本発明の前部窓板１の構成例の詳細部分Ｃの上面図である。
【図５Ｄ】図５の本発明の前部窓板１の構成例の詳細部分Ｄの上面図である。
【発明を実施するための形態】
【０１０１】
図面の詳細な説明
図２，図３，図４との関連における図１
図１は、自動車の透明な前部窓板１を内側から見た簡単な図である。ここでは、前部窓板１は例えば複合ガラス窓板として構成されており、その構造は、図２では前部窓板１の一部分の垂直断面図として示されており、図３では前部窓板１の一部分の斜視図として示されている。
【０１０２】
これらによれば、前部窓板１は、外側窓板材２及び内側窓板材３の２つの剛性の単窓板材を備えており、これらの単窓板材は、熱可塑性の接着層４、ここでは例えばポリビニルブチラルフィルム（ＰＶＢ）、エチレンビニルアセテートフィルム（ＥＶＡ）又はポリウレタンフィルム（ＰＵ）などによって、互いに堅固に結合されている。２つの単窓板材２，３はほぼ同一サイズかつ同一形状であり、例えば台形状に反った輪郭を有することができるが、このことは図では詳細に示されていない。単窓板材は例えばガラスから形成されるが、また、例えばプラスチックなどの非ガラス材料から形成することもできる。前部窓板以外の他の用途のために、２つの単窓板材２，３を可撓性材料から形成することもできる。前部窓板１の輪郭は、２つの単窓板材２，３に共通の窓板縁部５によって定められ、ここで、前部窓板１は、上下において互いに向かい合う２つの第１の辺６，６’を有し、かつ、左右において互いに向かい合う２つの第２の辺７，７’を有する。
【０１０３】
図２及び図３に示されているように、内側窓板材３の、接着層４に結合された面に、透明な導電性コーティング８が成膜されている。ここで、加熱可能な導電性コーティング８は、例えば内側窓板材３の実質的に面全体に形成され、全周を囲む縁部ストリップ９がコーティングされないことにより、導電性コーティング８のコーティング縁部１０は窓板縁部５から内側に後退されている。これにより、導電性コーティング８は外部に対して電気的に絶縁される。さらに、導電性コーティング８は、窓板縁部５から進行する腐食からも保護される。
【０１０４】
導電性コーティング８は、公知のように、電気加熱可能な少なくとも１つの金属部分層、好ましくは銀と、場合によっては例えば反射防止層や阻止層などの他の部分層とを含む、図示されていない積層体を有する。有利には、この積層体は、ガラス板を曲げるために必要な、典型的に６００℃を超える温度に損傷なく耐えられるように、高い熱負荷を受けることができるものであるが、熱負荷耐性が低い積層体とすることもできる。導電性コーティング８は、同様に金属単層として形成することもできる。また、導電性コーティング８を内側窓板材３に直接形成せずに、まず支持体、例えばプラスチックフィルムに形成してから、その後に外側窓板材２と内側窓板材３とに接着することもできる。これに代えて、支持フィルムを接着フィルム（例えばＰＶＢフィルム）に接合し、３層構成体（Trilayer）として、内側窓板材３と外側窓板材２とに接着することもできる。加熱可能な導電性コーティング８は、好ましくはスパッタリング又はマグネトロン陰極スパッタリングによって、内側窓板材３又は外側窓板材２に形成される。
【０１０５】
図１に示されているように、導電性コーティング８は、第１の辺６，６’に接する箇所すなわち上方及び下方の窓板縁部５で、帯状の上方の集電極又はバスバー１１と帯状の下方の集電極１１’とに導電接続されている。上方の集電極１１及び下方の集電極１１’は、図示されていない電圧源の一方の極に接続されるように構成されている。互いに逆の極性を有する２つの集電極１１，１１’は、これらの間に存在する、加熱可能なコーティング８の加熱場１２に、加熱電流を均一に導入し分配するために用いられる。２つの集電極１１，１１’は例えば導電性コーティング８上に印刷され、各集電極はそれぞれ少なくとも近似的に直線の形状を有する。
【０１０６】
また、集電極１１，１１’は、空間的に互いに分離された２つの部分領域に分割されていてもよい。
【０１０７】
前部窓板１が組み付けられた状態での上方の集電極１１は、加熱場１２を、窓板縁部５の上方の第１の辺６に沿って延在する、導電性コーティング８の部分領域８’’’から分離している。
【０１０８】
前部窓板１が組み付けられた状態での下方の集電極１１’は、加熱場１２を、下方の第１の辺６’に沿って延在する部分領域８’から分離している。当該部分領域８’は、ワイパ停止ゾーンの加熱に用いられる。本発明の種々の実施形態のさらなる詳細は、図１から図５の部分Ａから得られる。
【０１０９】
上方の集電極１１の下方では、３つのコーティング無しの通信窓が加熱場１２の中央に鏡面対称となるように配置されている。つまり、各通信窓は、仮想の垂直中心線Ｍ又は対称軸線によって２分割されている。
【０１１０】
上方の集電極１１の２つの端部から、コーティング８の部分領域８’’において、コーティング縁部１０のそれぞれ対応する部分領域に沿って、相互に鏡面対称に配置された２つの給電線１５，１５’が、部分領域８’内の相互に向かい合う付加電極１８，１８’まで延在している。給電線１５，１５’と付加電極１８，１８’とは、集電極１１，１１’と同じ材料から製造されている。
【０１１１】
給電線１５，１５’及び付加電極１８，１８’は、これらそれぞれに対応し、給電線１５，１５’に沿って加熱場１２の側方を延在するコーティング無し線１６，１６’によって、加熱場１２から電気的に分離されている。コーティング無し線１６，１６’は、１００μｍまでの幅を有する。コーティング無し線１６，１６’は、好ましくは、レーザーアブレーションによって製造可能である。
【０１１２】
コーティング無し線１６，１６’は、上方の集電極１１まで延在し、上方の集電極１１の上方で周囲の縁部ストリップ９まで続き、第２の辺７，７’に沿って延在する部分領域８’’を、上方の第１の辺６に沿って延在する部分領域８’’’から分離している。さらなる詳細は、図４の部分Ｂから得られる。
【０１１３】
図４には、コーティング無し線１６と上方の集電極１１との交点１７が示されている。好ましくは、当該交点１７は、レーザーアブレーションによって予成形されたコーティング無し線１６の上方にスクリーン印刷を用いて上方の集電極１１を印刷することにより、製造可能である。
【０１１４】
図４には、さらに、下方の集電極１１’の領域及び領域８’’，１５，１６などで使用される黒色のマスキングテープ１３の好ましい構成が示されている。マスキングテープ１３は、この領域の機能性素子を覆い、これら機能性素子を損傷しうるＵＶ光に対する保護も行う。具体的には、黒色のマスキングテープ１３は、視覚的隠蔽を行う不透明な部分領域１３’を含み、この部分領域１３’は縁部１３’’で光学的に部分透明な部分領域１３’’’へ移行し、この部分領域１３’’’のみが縁部１３’’’’に達する。光学的に部分透明な部分領域１３’’’は、例えば点状パターンである。好ましくは、マスキングテープ１３は、内面、すなわち、外側窓板材２の、内側窓板材３に向かう側の面に形成され、組み立ての前に焼成され、その後で窓板材２，３双方が接着層４に接合される。
【０１１５】
図１，図５Ｃ，図５Ｄとの関連における図５
図５には、図１の前部窓板１の構成例の詳細部分Ａの上面図が示されている。
【０１１６】
部分Ａは、ワイパ停止ゾーンの領域のコーティング８’の、中心線及び対称軸線Ｍに向かって左方の部分領域のみが示されている。コーティング８’の右方の部分領域は左方の部分領域８’の鏡像であるため、別に示す必要がない。
【０１１７】
図５Ｃ及び図５Ｄには、図５の拡大部分Ｃ及び拡大部分Ｄが示されている。
【０１１８】
図５の構成例では、コーティング無し線１６が、全部で４つの水平なコーティング無し線、垂直なコーティング無し線、及び、傾斜したコーティング無し線、さらにこれに続く線幅１００μｍまでのコーティング無し線１６から成る系１６’’へと移行している。系１６’’では、左方の部分領域８’において、３つの分岐点１７’’で、水平かつ相互に平行に配置された３つのコーティング無し線１６’’が分岐している。また、相互に空間的にずれて上下に配置された２つの平行な垂直方向の付加電極１８が設けられている。対向電極は２分割されており、垂直な第１の部分領域（接続導体１９’）と、この第１の部分領域から空間的に分離されているがこれに電気的に結合されている第２の部分領域（本来の対向電極１９）とが存在している。
【０１１９】
対向電極１９は、下方の集電極１１’から垂直方向下方に延在する第１の垂直脚部を含む。接続導体１９’は、垂直脚部に対して平行に、かつ、空間的にこの垂直脚部から離れて延在する。接続導体１９’の下方では、第２の部分領域が別の垂直脚部まで水平に延在する。
【０１２０】
全部で６つのコーティング無し線から成るこうした系１６’’により、３つの電流路ａ１，ａ２，ａ３又は２つの電流路ａ１及び（ａ２＋ａ３）が形成される。
【０１２１】
上方及び下方の集電極１１，１１’は、それぞれ、電圧源の２つの極の一方に接続されている。付加電極１８は上方の集電極１１に接続されており、対向電極１９は下方の集電極１１’に接続されている。付加電極１８と対向電極１９との間には、電流の基礎となる電位差が生じる。各付加電極と対向電極との間には（付加電極が２つである場合）２つの電流路ａ１及び（ａ２＋ａ３）が延在する。接続導体１９’は、コーティング部分と個々の電流路ａ２，ａ３とを接続し、これにより共通の電流路ａ２＋ａ３が形成される。
【０１２２】
電流路ａ１は、上方の付加電極１８から、対向電極１９の垂直脚部の、これに最も近い上方の部分領域へと延在している。電流路ａ２は、下方の付加電極１８から、接続導体１９’の上方の部分領域へと延在している。接続導体１９’の下方の部分領域からは、電流路ａ３が、対向電極１９の別の垂直部分領域へと延在している。
【０１２３】
比ＶＨ１＝ａ１：（ａ２＋ａ３）の値は０．９である。給電電圧１２Ｖが印加されると、系１６’’において、付加電極１８から接続導体１９’及び対向電極１９を介して下方の集電極１１’へ電流が流れる。
【０１２４】
本発明の系の特に有利な実施形態では、水平な電流路ａ１及びａ３に対して垂直に延在する区間ｈ１及びｈ３について、又は、水平の電流路ａ１〜ａ３を画定する、相互に平行に配置された水平なコーティング無し線１６’’の距離ｈ１〜ｈ３について、式
ＶＨ２＝ｈｎ−１：ｈｎ＝１
が成り立つ。
【０１２５】
本発明の系１６’’，１８，１９’，１９の特段の利点は、コーティング８’が均等に加熱され、その際に比熱エネルギが４００Ｗ／ｍ２〜５５０Ｗ／ｍ２となることである。また、本発明の系１６’’，１８，１９’，１９のさらなる特段の利点は、例えば付加電極１８及び／又は接続導体１９’を単純に平行移動Ｐさせることによって個々のケースの要求に適合させることができ、その際に比熱エネルギが（例えばホットスポット及び／又はコールドスポットの発生によって）不都合に変化しないということである。電極１８，１９及び電流路のａ１〜ａｎの個々のケースにとって最適な構成は、通常公知のシミュレーションプログラムを用いて簡単に求めることができる。
【０１２６】
全体として、本発明の透明窓板１の図５の実施形態では、０℃未満の特に低い温度でも、ワイパ停止ゾーンでウィンドウワイパが凍結するのを有効に防止できる。
【符号の説明】
【０１２７】
図１−図５の参照番号は以下の意義を有する：
１  前部窓板、  ２  外側窓板材、  ３  内側窓板材、  ４  接着層、  ５  周囲の窓板縁部、  ６  前部窓板１が組み付けられた状態での窓板縁部５の上方の第１の辺、  ６’  前部窓板１が組み付けられた状態での窓板縁部５の下方の第１の辺、  ７，７’  前部窓板１が組み付けられた状態での窓板縁部５の側方の第２の辺、  ８  導電性コーティング、  ８’  前部窓板１が組み付けられた状態での、加熱場１２外の、窓板縁部５の下方の第１の辺６’に沿って配置された、ワイパ停止ゾーンの領域にある導電性コーティング、  ８’’  前部窓板１が組み付けられた状態での、加熱場１２外の、窓板縁部５の第２の辺７，７’に沿って配置された導電性コーティング８の部分領域、  ８’’’  前部窓板１が組み付けられた状態での、加熱場１２外の、窓板縁部５の上方の第１の辺６に沿って配置された導電性コーティング８の部分領域、  ９  導電性コーティング８無しの、周囲の縁部ストリップ、  １０  周囲のコーティング縁部、  １１  前部窓板１が組み付けられた状態での上方の集電極、  １１’  前部窓板１が組み付けられた状態での下方の集電極、  １２  加熱場、  １３  マスキングテープ、  １３’  視覚的隠蔽を行うマスキングテープ１３の不透明な部分領域、  １３’’  視覚的隠蔽を行うマスキングテープ１３の不透明な部分領域の縁、  １３’’’  視覚的隠蔽を行うマスキングテープ１３の光学的に部分透明な部分領域、  １３’’’’  マスキングテープ１３の光学的に部分透明な部分領域の縁、  １４  導電性コーティング８の無い通信窓、  １５，１５’  上方の集電極１１からそれぞれ対応するコーティング縁部１０に沿ってそれぞれ対応する部分領域８’’において付加電極１８，１８’へ延在する給電線、  １６，１６’  給電線１５，１５’に沿って加熱場１２の側方を延在するコーティング無し線、  １６’’  コーティング８’のワイパ停止ゾーンの領域にある少なくとも４つのコーティング無し線の系、  １７  コーティング無し線１６，１６’と集電極１１との交点、  １７’  コーティング無し線１６’’と対向電極１９との交点、  １７’’’  コーティング無し線１６’’の分岐点、  １８，１８’  下方の導電性コーティング８’（ワイパ停止ゾーン）に配置されかつ給電線１５，１５’を介して集電極１１に電気的に接続された付加電極、  １９  付加電極１８に対する対向電極、  １９’  対向電極１９に対応する接続導体、  ２０  コーティング無し線１６’’での付加電極１８又は対向電極１９の端点、  ａ１  電流路に沿って付加電極１８から最も近い対向電極１９の向かい側の部分までの電流路の長さ、  ａ２〜ａｎ  電流路の長さ、  ｈ１〜ｈｎ  水平な電流路ａ１〜ａｎに対して垂直に延在する区間、又は、水平な電流路ａ１〜ａｎを画定する、相互に平行に配置された水平なコーティング無し線１６’’の距離、  Ａ  前部窓板１の拡大部分、  Ｂ  前部窓板１の拡大部分、  Ｃ  前部窓板１の拡大部分、  Ｄ  前部窓板１の拡大部分、  Ｍ  垂直中心線及び対称軸線、  Ｐ  平行移動
【図１】
0006351826.tif 000003
【図２】
0006351826.tif 000004
【図３】
0006351826.tif 000005
【図４】
0006351826.tif 000006
【図５】
0006351826.tif 000007
【図５Ｃ】
0006351826.tif 000008
【図５Ｄ】
0006351826.tif 000009